(57)【要約】【課題】単純な構成で省スペース化の図れるクーラント装置を提供する。【解決手段】クーラントにワーク加工中に発生した切粉が混ざったダーティ液から、切粉を分離するクーラント装置１０であって、上面にダーティ液が流入される流入口１１が開口した箱状のケーシング２３と、このケーシング２３内において流入口１１の下方に配置され、無端状に形成されたフィルター２０を備えたコンベア装置２１と、フィルター２０の内側に配置され、フィルター２０を透過したクーラントを回収するクリーンタンク３０と、ケーシング２３内においてコンベア装置２１の下方に配置され、フィルター２０で分離された切粉を回収する切粉タンク４０と、を備えたことを特徴とする。【選択図】図３
2010158744.tif 000002
【特許請求の範囲】
【請求項１】
クーラントにワーク加工中に発生した切粉が混ざったダーティ液から、前記切粉を分離するクーラント装置であって、
上面に前記ダーティ液の流入口が開口した箱状のケーシングと、
このケーシング内において前記流入口の下方に配置され、無端状に形成されたフィルターを備えたコンベア装置と、
前記フィルターの内側に配置され、前記フィルターを透過したクーラントを回収するクリーンタンクと、
前記ケーシング内において前記コンベア装置の下方に配置され、前記フィルターで分離された切粉を回収する切粉タンクと、を備えた
ことを特徴とするクーラント装置。
【請求項２】
前記コンベア装置と前記切粉タンクとの間に配置され、前記フィルターの外周面に付着した前記切粉を剥がすスクレーパーをさらに備えた
ことを特徴とする請求項１に記載のクーラント装置。
【請求項３】
前記フィルターの内側に、前記フィルターの外周面に付着した前記切粉を内側から吹き飛ばすエアブロー装置を設けた
ことを特徴とする請求項１または請求項２に記載のクーラント装置。
【請求項４】
前記流入口に、前記ダーティ液の重量によって下方に回動するとともにその先端が前記フィルターの表面に当接する回動カバーを設けた
ことを特徴とする請求項１乃至請求項３のいずれか１項に記載のクーラント装置。
【請求項５】
前記フィルターは、当該フィルターの幅方向両側に配置された一対の無端チェーンに、複数本のピンを所定間隔で架け渡し、前記ピンの配置間隔と同等の長さのフィルター部材の一端を回動可能に接合して構成されている
ことを特徴とする請求項１乃至請求項４のいずれか１項に記載のクーラント装置。
【請求項６】
前記フィルターは、当該フィルターの幅方向両側に配置された一対の無端チェーンに、複数本のピンを所定間隔で架け渡し、隣り合う前記ピン間に波型のフィルター部材を架け渡して設けて構成されている
ことを特徴とする請求項１乃至請求項４のいずれか１項に記載のクーラント装置。
【発明の詳細な説明】
【技術分野】
【０００１】
本発明は、クーラントにワーク加工中に発生した切粉が混ざったダーティ液から、切粉を分離するクーラント装置に関する。
【背景技術】
【０００２】
従来のクーラント装置は、ダーティ液の貯槽内からその斜め上方に位置する切粉の排出口へと架け渡されたコンベアチェーンに、ダーティ液を掻き上げる掻上げ板が設けられて構成されているものが一般的であった。このようなクーラント装置では、掻上げ板が貯槽底部から排出口へと移動する方向にコンベアチェーンを回転させることで、掻上げ板が傾斜部分で切粉を掻き上げつつクーラントを落下させて切粉とクーラントとを分離し、排出口から切粉のみを排出するようになっていた（例えば、特許文献１参照）。
【先行技術文献】
【特許文献】
【０００３】
【特許文献１】特開２００２−１７７７１３号公報
【発明の概要】
【発明が解決しようとする課題】
【０００４】
しかしながら、従来のクーラント装置では、掻上げ板や排出口の形状が複雑で掻上げ角度の調整に細かい精度が必要であり、また、コンベアチェーンは、貯槽内の水平部分と斜め上方に傾斜する傾斜部分とが必要となり水平方向に広い設置スペースを必要とするといった問題があった。さらに、コンベアチェーンは大きい負荷で常時駆動させなければならず、駆動機構の大型化を招いていた。
【０００５】
そこで、本発明は前記の問題を解決するために案出されたものであって、単純な構成で省スペース化の図れるクーラント装置を提供することを課題とする。
【課題を解決するための手段】
【０００６】
前記課題を解決するための請求項１に係る発明は、クーラントにワーク加工中に発生した切粉が混ざったダーティ液から、前記切粉を分離するクーラント装置であって、上面に前記ダーティ液の流入口が開口した箱状のケーシングと、このケーシング内において前記流入口の下方に配置され、無端状に形成されたフィルターを備えたコンベア装置と、前記フィルターの内側に配置され、前記フィルターを透過したクーラントを回収するクリーンタンクと、前記ケーシング内において前記コンベア装置の下方に配置され、前記フィルターで分離された切粉を回収する切粉タンクと、を備えたことを特徴とするクーラント装置である。
【０００７】
このような構成によれば、流入口から流入したダーティ液は、フィルター上に落下し、そこで切粉はフィルター上に残留してクーラントのみがフィルターを透過して、切粉とクーラントとに分離される。クーラントは、フィルターの内側のクリーンタンクに落下し、切粉は、コンベア装置を駆動させてフィルターを回転させることで、コンベア装置の下方の切粉タンクに落下して回収される。このように本発明によれば、従来と比較して単純な構成でダーティ液から切粉を分離することができる。さらに、コンベア装置は、流入口の開口をカバーできる広さを有していればよく、クリーンタンクや切粉タンクとともにケーシング内に収容されて、装置全体を小さくでき、装置の省スペース化を図ることができる。
【０００８】
請求項２に係る発明は、前記コンベア装置と前記切粉タンクとの間に配置され、前記フィルターの外周面に付着した前記切粉を剥がすスクレーパーをさらに備えたことを特徴とする請求項１に記載のクーラント装置である。
【０００９】
このような構成によれば、切粉を確実に落下させて効率よく回収することができる。
【００１０】
請求項３に係る発明は、前記フィルターの内側に、前記フィルターの外周面に付着した前記切粉を内側から吹き飛ばすエアブロー装置を設けたことを特徴とする請求項１または請求項２に記載のクーラント装置である。
【００１１】
このような構成によっても、切粉を確実に落下させて効率よく回収することができる。
【００１２】
請求項４に係る発明は、前記流入口に、前記ダーティ液の重量によって下方に回動するとともにその先端が前記フィルターの表面に当接する回動カバーを設けたことを特徴とする請求項１乃至請求項３のいずれか１項に記載のクーラント装置である。
【００１３】
このような構成によれば、回動カバーによって、流入口とフィルターとを架け渡す壁面が形成されるので、フィルター上に落下するダーティ液がケーシング内において四方に飛散するのを防止でき、クーラントをクリーンタンクに確実に回収することができる。
【００１４】
請求項５に係る発明は、前記フィルターが、当該フィルターの幅方向両側に配置された一対の無端チェーンに、複数本のピンを所定間隔で架け渡し、前記ピンの配置間隔と同等の長さのフィルター部材の一端を回動可能に接合して構成されていることを特徴とする請求項１乃至請求項４のいずれか１項に記載のクーラント装置である。
【００１５】
このような構成によれば、フィルター部材がコンベアの上部から下部に移動したときに、ピンを中心として回動するので、フィルター上の切粉を効率的に落下させることができる。
【００１６】
請求項６に係る発明は、前記フィルターが、当該フィルターの幅方向両側に配置された一対の無端チェーンに、複数本のピンを所定間隔で架け渡し、隣り合う前記ピン間に波型のフィルター部材を架け渡して設けて構成されていることを特徴とする請求項１乃至請求項４のいずれか１項に記載のクーラント装置である。
【００１７】
このような構成によれば、波型の上部および傾斜部にダーティ液が落下したときは、傾斜に沿って滑らかに下部側に流れ、一方、波型の下部にダーティ液が落下したときは、周りに跳ねても傾斜部に衝突するので、ダーティ液がコンベア装置の周囲に飛散するのを防止できる。
【発明の効果】
【００１８】
本発明によれば、クーラント装置において、単純な構成で省スペース化を図ることができるといった優れた効果を発揮する。
【図面の簡単な説明】
【００１９】
【図１】第一実施形態に係るクーラント装置を示した斜視図である。
【図２】コンベア装置とクリーンタンクを示した斜視図である。
【図３】第一実施形態に係るクーラント装置を示した断面図である。
【図４】第二実施形態に係るクーラント装置を示した断面図である。
【図５】第二実施形態に係るフィルターを示した斜視図である。
【図６】第三実施形態に係るクーラント装置を示した断面図である。
【図７】第三実施形態に係るフィルターを示した斜視図である。
【発明を実施するための形態】
【００２０】
（第一実施形態）
本発明に係るクーラント装置を実施するための第一の形態について、添付図面を参照しながら詳細に説明する。本実施形態では、かかるクーラント装置をワーク加工室エリアの下方にベッドがないベッドレスタイプの工作機械に設置した場合を例にあげて説明する。
【００２１】
工作機械は、ワークの加工を行う加工ユニットと、ワークの加工中に生じる切粉とクーラントが混ざったダーティ液を回収して、切粉とクーラントを分離して、ワーク加工室エリアにクーラントを循環させるクーラント装置と、工作機械の動作を制御する制御ユニットとを備えている。
【００２２】
ベッドレスタイプの工作機械によれば、通常の工作機械ではコラムの下部に設けられていたベッドがないので、ワーク加工室エリアの下方にベッドが突出せず、クーラント装置の設置スペースを上下方向において、通常の工作機械よりも大きく確保することができる。
【００２３】
図１および図３に示すように、クーラント装置１０は、ワーク加工室エリアの下部空間に配置される大きさのケーシング２３を備えている。このケーシング２３の上面には、ワーク加工室エリアに対向する、ダーティ液の流入口１１が開口して形成されている。流入口１１の周囲は、流入口１１に向かってダーティ液が流れるように漏斗状に傾斜して形成されている。ケーシング２３内において、流入口１１の下方には、無端状に形成されたフィルター２０を備えたコンベア装置２１が設けられている。また、フィルター２０の内側には、フィルター２０を透過したクーラントを回収するクリーンタンク３０が設けられている。さらに、ケーシング２３内において、コンベア装置２１の下方には、フィルター２０で分離された切粉を回収する切粉タンク４０が設けられている。
【００２４】
図２および図３に示すように、フィルター２０は、例えば、ステンレス等の金属製メッシュ、もしくは薄板の枠体に布状フィルターを張り合わせたもの等から構成されており、目の粗さは、例えば♯４０メッシュである。フィルター２０は、帯状に形成された金属製メッシュの長手方向両端を互いに接続することで無端状に形成されている。フィルター２０は、一対のローラ２２，２２間に巻き掛けられており、ローラ２２部分で折り返し可能なように可撓性を有している。フィルター２０は、その周囲を囲むケーシング２３の内側寸法と同等の幅（移動方向と直交する方向の長さ）を有しており、フィルター２０の幅方向両端にケーシング２３の壁面２３ａが近接するように構成されている。フィルター２０は、ローラ２２，２２を挟んで上辺部２０ａと下辺部２０ｂが構成されている。
【００２５】
少なくとも一方のローラ２２には、図示しない回転駆動機構が接続されており、ローラ２２を回転することでフィルター２０を回転させる。なお、フィルター２０と、ローラ２２，２２と回転駆動機構とで、コンベア装置２１が構成されている。コンベア装置２１は、ワークの加工時にはフィルター２０を回転させずに停止している。そして、上辺部２０ａの上にダーティ液が落下して、切粉が所定時間載置されることで、クーラントはフィルター２０を透過して下方に落下し、切粉はフィルター２０上に残置する。切粉が所定量に達したら、ローラ２２を回転させて、フィルター２０を回転させる。これによって、フィルター２０上の切粉は、フィルター２０とともに移動して、フィルター２０がローラ２２で下側に折り返す部分で、下方に落下し切粉タンク４０に回収される。
【００２６】
図３に示すように、切粉タンク４０は、上部が開口した箱状で、フィルター２０の下方全体を覆うように形成されている。切粉タンク４０は、フィルター２０の下方でクーラント装置１０の外部に引き出し可能に設けられている。なお、切粉タンク４０の形状は前記の形状に限定されるものではなく、一対のローラ２２，２２の下方に分割形成して、それぞれ外部に引き出し可能に設けるようにしてもよい。
【００２７】
ケーシング２３内において、コンベア装置２１と切粉タンク４０との間には、フィルター２０の外周面に付着した切粉を剥がすスクレーパー２４が設けられている。スクレーパー２４は、薄板もしくはブラシ等にて構成されており、ケーシング２３もしくは切粉タンク４０に固定されている。スクレーパー２４は、フィルター２０の外周面に近接して設けられ、フィルター２０の幅と同等の幅を有している。スクレーパー２４は、フィルター２０が下部へ折り返す側のローラ２２の下部に配置されている。スクレーパー２４は、その先端がフィルター２０の表面に近接しており、フィルター２０から突出した切粉を係止して落下させる。スクレーパー２４は、切粉タンク４０の開口部上方に配置されており、落下した切粉は、切粉タンク４０に回収される。なお、スクレーパー２４の設置位置は、前記位置に限定されるものではなく、フィルター２０の下辺部２０ｂの任意の位置であってもよい。また、スクレーパー２４の形状、材質は前記のものに限定されるものではない。
【００２８】
一方、フィルター２０が上部へと折り返す側のローラ２２には、フィルター２０の外周面に付着した切粉（フィルター２０に目詰まりするような比較的小さい切粉）を内側から吹き飛ばすエアブロー装置２５が設けられている。エアブロー装置２５は、ローラ２２を回転可能に支持する支持軸２６と、支持軸２６に圧縮空気を供給する圧縮空気供給手段（図示せず）とを備えて構成されている。支持軸２６には、フィルター２０の幅方向全長に亘って所定ピッチで貫通孔（図示せず）が形成されており、この貫通孔から圧縮空気が吹き出るように構成されている。貫通孔は、支持軸２６の下部に形成されており、フィルター２０の内側から下方に向けて切粉を吹き飛ばすように構成されている。吹き飛ばされた切粉は、下方の切粉タンク４０に落下して回収される。
【００２９】
フィルター２０の上方に位置する流入口１１には、ダーティ液の重量によって下方に回動するとともにその先端がフィルター２０の表面に当接する回動カバー１２が設けられている。流入口１１は、矩形を呈しており、フィルター２０の移動方向両端で互いに対向する辺に回動カバー１２が設けられている。回動カバー１２は、矩形のプレートにて構成されており、その一辺が、バネヒンジ１３を介して流入口１１の互いに対向する各辺に回動可能に支持されている。バネヒンジ１３は、ダーティ液が流れず荷重かかからない状態では、そのバネ力によって、回動カバー１２を水平状態（図３中、二点鎖線にて示す状態）に保つように構成されている。バネヒンジ１３のバネ力は、回動カバー１２上にダーティ液が流れると、その重量によって回動カバー１２が下方に回動する程度の付勢力に設定されている。回動カバー１２は、下方に回動したときに、その下端部が、フィルター２０の表面に当接する（図３中、実線にて示す状態）長さを有している。
【００３０】
図２に示すように、クリーンタンク３０は、ケーシング２３内に収容され、フィルター２０の内側でクーラントを受ける一次クリーンタンク３０ａと、ケーシング２３に隣り合わせて一次クリーンタンク３０ａの側部下方に配置された二次クリーンタンク３０ｂとを備えている。フィルター２０の上辺部２０ａと下辺部２０ｂとの間でローラ２２，２２間の空間には、一次クリーンタンク３０ａが配置されている。一次クリーンタンク３０ａは、フィルター２０の上辺部２０ａを透過したクーラントを一時的に受けて、二次クリーンタンク３０ｂに流すものである。二次クリーンタンク３０ｂは、一次クリーンタンク３０ａよりも大きい容量に形成されており、クーラントを貯留するものである。二次クリーンタンク３０ｂには、クーラントをワーク加工室エリアに循環させるポンプが取り付けられている。なお、二次クリーンタンク３０ｂを収容するケース部２３ｂ（図１参照）は、ケーシング２３と一体成形あるいは結合されて、一体化している。
【００３１】
二次クリーンタンク３０ｂの上部には、クーラントに混入した駆動油等の浮上油を回収するオイルスキマー３１が設けられている。オイルスキマー３１は、金属製または樹脂製のベルト３１ａをクーラント上から内部に回転させることで、表面の浮上油をベルト３１ａに絡め取って回収する。本実施形態では、ベルト３１ａの駆動軸３１ｂは、ローラ２２の回転軸と連結されており、フィルター２０の回動と同時に回転するようになっている。なお、ベルト３１ａの回転は、前記構成に限定されるものではなく、別途駆動回転機構を設けて回転させるようにしてもよい。
【００３２】
図１に示すように、二次クリーンタンク３０ｂの上部には、液面計３２が設けられており、タンク内のクーラント量を検知できるようになっている。さらに、二次クリーンタンク３０ｂの上部には、低圧タンク３３ａと中圧タンク３３ｂが設けられており、コンベア装置２１やオイルスキマー３１の作動やクーラントの循環に利用されている。
【００３３】
クーラント装置１０の上部には、ワーク加工室エリアを覆って区画するカバーユニット（図示せず）が設けられており、切粉やクーラントがワーク加工室エリアの外部に飛散するのを防止している。
【００３４】
次に、工作機械を用いて、ワークを加工する際のクーラント装置の作用を説明する。
【００３５】
工作機械でワークの加工を行う際には、低圧タンク３３ａと中圧タンク３３ｂによってポンプを作動させて、ワーク加工室エリアにクーラントを循環させて供給する。
【００３６】
このとき、クーラントや切粉は、カバーユニットによって外部に飛散することはなく、下方のクーラント装置１０上に落下する。そして、クーラントに切粉が混ざったダーティ液は、クーラント装置上部の傾斜部分から流入口１１へと流れる。そして、流入口１１の回動カバー１２上にダーティ液が流れると、図３に示すように、ダーティ液の重量によって回動カバー１２が下方へ回動し、ダーティ液がフィルター２０の上辺部２０ａの上に落下する。このとき、回動カバー１２は、その下端がフィルター２０の表面に当接して、フィルター２０の移動方向両側において、壁面を形成することになる。これと合わせて、フィルター２０の幅方向両端には、ケーシング２３の壁面２３ａが近接している。これによって、フィルター２０のダーティ液の落下領域の周囲は壁面で覆われることとなり、落下してきたダーティ液が飛び跳ねたとしても、フィルターの下方へ落下するのを防止することができる。
【００３７】
そして、フィルター２０上に落下したダーティ液から、クーラントがフィルター２０を透過して一次クリーンタンク３０ａに落下する。落下したクーラントは、二次クリーンタンク３０ｂへと流れて貯留される。二次クリーンタンク３０ｂに貯留されたクーラントはオイルスキマー３１によって、浮上油を除去されてクリーンなクーラントとなり、ポンプによってワーク加工室エリアへと送られる。
【００３８】
フィルター２０上の切粉が所定量に達すると、ワークの加工を一旦停止させて、回動カバー１２を元の水平状態に戻した後に、コンベア装置２１を駆動させて、フィルター２０を回転させる。これによって、クーラントが取り除かれた切粉は、コンベアの端部へと搬送された後、フィルター２０が下方に折り返した所で、下方に落下して切粉タンク４０へと回収される。ここで下方に落下せずに、フィルター２０に付着している切粉は、下流側に設けられたスクレーパー２４で掻き落とされて、切粉タンク４０へと回収される。スクレーパー２４では、フィルター２０の表面から突出した比較的大きい切粉が掻き落とされる。さらに、スクレーパー２４によっても落下しなかった切粉は、さらに下流側に設けられたエアブロー装置２５によって、下方に吹き飛ばされて、切粉タンク４０へと回収される。エアブロー装置２５では、フィルター２０に目詰まりするような比較的小さい切粉が吹き飛ばされる。切粉タンク４０内に所定量の切粉が溜まったら、切粉タンク４０を外部に取り出して切粉を排出する。
【００３９】
以上説明したように、本実施形態に係るクーラント装置１０によれば、流入口１１から流入したダーティ液は、フィルター２０上に落下し、そこで切粉はフィルター上に残留してクーラントのみがフィルター２０を透過して、切粉とクーラントとに分離される。特に、本発明では、クーラントの分離時にフィルター２０は停止した状態であるので、駆動エネルギーを必要としない。また、切粉は、コンベア装置２１を駆動させてフィルター２０を回転させることで、コンベア装置２１の下方の切粉タンク４０に落下させているが、その回転負荷は、切粉を水平方向へ移動させるだけなので、クーラントと切粉を上方に移動させる従来の掻上げ型のコンベアと比較して非常に小さく、回転駆動機構の単純化および省エネルギー化を達成することができる。さらに、クーラント装置１０は、概ね、フィルター２０の広さに合わせたケーシング２３の設置スペースがあれば済むので、従来と比較して単純な構成でダーティ液から切粉を分離することができる。さらに、コンベア装置２１は、流入口の開口をカバーできる広さを有していればよく、クリーンタンク３０や切粉タンク４０とともにケーシング内に収容されて、装置全体を小さくでき、装置の省スペース化を図ることができる。
【００４０】
また、スクレーパー２４とエアブロー装置２５を設けたことによって、切粉を確実に落下させて効率よく回収することができる。さらに、フィルター２０に付着した切粉を除去できるので、上辺部２０ａのダーティ液の落下位置におけるクーラントの透過率の低下を防止することができる。
【００４１】
さらに、流入口１１に、回動カバー１２を設けたことによって、ダーティ液の落下領域の周囲に壁面が形成されるので、フィルター２０上に落下するダーティ液が、飛び散っても、フィルター２０の下方に落下するのを防止でき、クーラントをクリーンタンク３０に確実に回収することができる。
【００４２】
（第二実施形態）
第二実施形態に係るクーラント装置１１０は、コンベア装置１２１の形状が第一実施形態と異なる。なお、その他の構成は、第一実施形態と同様であるので、同じ符号を付して説明を省略する。
【００４３】
図４および図５に示すように、本実施形態に係るコンベア装置１２１のフィルター１２０は、フィルター１２０の幅方向両側に配置された一対の無端チェーン１２２（図４では一方のみ図示）に、複数本のピン１２３，１２３・・を所定間隔で架け渡し、ピン１２３の配置間隔と同等の長さのフィルター部材１２４の一端を回動可能に接合して構成されている。
【００４４】
無端チェーン１２２，１２２は、コンベア装置１２１の両端で、フィルター１２０の幅方向両側にそれぞれ設けられた二対のスプロケット１２５，１２５（図４では一対のみ図示）間に巻き掛けられている。
【００４５】
ピン１２３は、フィルター部材１２４を回動可能に支持するための部材で、フィルター１２０の幅方向に延在している。ピン１２３は、その両端が一対の無端チェーン１２２にそれぞれ固定されており、無端チェーン１２２の回転と同時に移動する。
【００４６】
フィルター部材１２４は、矩形枠状の枠体１２４ａの内側に金属製メッシュ１２４ｂを固定して構成されている。枠体１２４ａの一端にはピン１２３が回動可能に取り付けられている。枠体１２４ａは、コンベアの移動方向前方にピン１２３が位置するように、ピン１２３に取り付けられている。枠体１２４ａの他端（ピン１２３が取り付けられた側とは逆側の先端部）には、立上り部１２６が形成されており、この立上り部１２６でフィルター１２０上の切粉を係止して確実に移動させるようになっている。ピン１２３には、フィルター部材１２４が下辺部１２０ｂに移動したときに、所定の回動角度で停止するようにストッパ（図示せず）が設けられている。
【００４７】
少なくとも一つのスプロケット１２５には、図示しない回転駆動機構が接続されており、スプロケット１２５を回転することで無端チェーン１２２を回転させて、フィルター１２０を回転させるようになっている。
【００４８】
このような構成のコンベア装置１２１を備えたクーラント装置１１０によれば、第一実施形態の他に、下記のような作用効果を得られる。かかるクーラント装置１１０によれば、フィルター部材１２４が、一方のスプロケット１２５を越えて上辺部１２０ａから下辺部１２０ｂへと折り返すときに、ピン１２３を中心に回動して斜めにぶら下がった状態となる。このとき、フィルター部材１２４は回動して、ピン１２３のストッパによって所定の角度で回動が急激に停止するので、このときの衝撃で、フィルター部材１２４に付着した切粉を効率的に落下させることができる。また、ここで落下しなかった切粉は、さらに下流側に設けられたエアブロー装置２５によって、下方に吹き飛ばされて、切粉タンク４０へと回収される。
【００４９】
（第三実施形態）
第三実施形態に係るクーラント装置２１０は、コンベア装置２２１のフィルター２２０の形状が第二実施形態と異なる。なお、その他の構成は、第二実施形態と同様であるので、同じ符号を付して説明を省略する。
【００５０】
図６および図７に示すように、本実施形態に係るフィルター２２０は、フィルター２２０の幅方向両側に配置された一対の無端チェーン２２２（図６では一方のみ図示）に、複数本のピン２２３，２２３・・を所定間隔で架け渡し、隣り合うピン２２３，２２３間に波型のフィルター部材２２４を架け渡して設けて構成されている。
【００５１】
無端チェーン２２２は、第二実施形態の無端チェーン１２２と同様の構成であり、コンベア装置１２１の両端で、フィルター１２０の幅方向両側にそれぞれ設けられた二対のスプロケット１２５，１２５（図６では一対のみ図示）間に巻き掛けられている。少なくとも一つのスプロケット１２５には、図示しない回転駆動機構が接続されており、スプロケット１２５を回転することで無端チェーン２２２を回転させて、フィルター２２０を回転させるようになっている。
【００５２】
ピン２２３は、フィルター部材２２４を固定するための部材で、その両端が一対の無端チェーン２２２にそれぞれ固定されており、無端チェーン２２２の回転と同時に移動する。
【００５３】
フィルター部材２２４は、金属製メッシュを断面円弧状に形成して構成されており、隣り合うピン２２３，２２３間に掛け渡して固定されている。フィルター部材２２４は、上向き、下向きを繰り返すように配置されており、フィルター２２０全体で、波型を形成するようになっている。なお、本実施形態では二つのフィルター部材２２４，２２４で波型の一つの周期を形成しているが、これに限定されるものではなく、一つのフィルター部材で凹凸（一つの周期）を形成する波型としてもよい。
【００５４】
このような構成のコンベア装置２２１を備えたクーラント装置２１０によれば、第一実施形態の他に、下記のような作用効果を得られる。かかるクーラント装置２１０によれば、フィルター２２０が波型に形成されているので、波型の上部および傾斜部にダーティ液が落下したときは、傾斜に沿って滑らかに下部側に流れ、一方、波型の下部にダーティ液が落下したときは、周りに跳ねても隣り合う傾斜部に衝突するので、ダーティ液がコンベア装置２２１の周囲に飛散するのを防止できる。
【００５５】
以上、本発明の実施形態について説明したが、本発明は前記実施形態に限定されず、本発明の趣旨を逸脱しない範囲で適宜設計変更が可能であるのは勿論である。例えば、本実施形態では、ベッドレスタイプの工作機械１に適用した場合を例に挙げて説明したが、ベッドを設ける通常の工作機械であっても適用可能であるのは勿論である。この場合も、クーラント装置の省スペース化を達成できるといった作用効果は得られる。
【符号の説明】
【００５６】
１０    クーラント装置
１１    流入口
１２    回動カバー
２０    フィルター
２１    コンベア装置
２３    ケーシング
２４    スクレーパー
２５    エアブロー装置
３０    クリーンタンク
４０    切粉タンク
１１０  クーラント装置
１２０  フィルター
１２１  コンベア装置
２１０  クーラント装置
２２０  フィルター
２２１  コンベア装置
【図１】
2010158744.tif 000003
【図２】
2010158744.tif 000004
【図３】
2010158744.tif 000005
【図４】
2010158744.tif 000006
【図５】
2010158744.tif 000007
【図６】
2010158744.tif 000008
【図７】
2010158744.tif 000009